(57)【要約】【課題】  排出された原稿およびシートの機密性を確保しつつ、原稿およびシートを容易に取り出すことができる画像形成装置を提供することを目的とする。【解決手段】  画像形成装置１は、搬送された原稿を排出する原稿排出口１８２と、画像が形成されたシートを排出するシート排出口８２、第２のシート排出口９２と、少なくとも装置の一側面に開口し、且つ、原稿排出口１８２、シート排出口８２および第２のシート排出口９２が臨む空間であり、原稿排出口１８２から排出された原稿およびシート排出口８２、第２のシート排出口９２から排出されたシートを収容する排出収容部２００と、を備える。排出収容部２００は、装置本体の前面側（前側面）および横面側（左側面）に開口する。【選択図】図１
2020016804.tif 000002
【特許請求の範囲】
【請求項１】
原稿を搬送して搬送された原稿の画像を読み取り、シートに画像を形成する画像形成装置であって、
搬送された原稿を排出する原稿排出口と、
画像が形成されたシートを排出するシート排出口と、
少なくとも装置の一側面に開口し、且つ、前記原稿排出口および前記シート排出口が臨む空間であり、前記原稿排出口から排出された原稿および前記シート排出口から排出されたシートを収容する排出収容部と、を備えたことを特徴とする画像形成装置。
【請求項２】
前記排出収容部は、少なくとも装置本体の前面側に開口することを特徴とする請求項１記載の画像形成装置。
【請求項３】
前記排出収容部は、装置本体の前面側および横面側に開口することを特徴とする請求項２記載の画像形成装置。
【請求項４】
前記排出収容部には、前記原稿排出口から排出された原稿が載置される原稿載置面、および前記シート排出口から排出されたシートが載置されるシート載置面が配置されており、
前記原稿載置面および前記シート載置面は、装置外部に露出することを特徴とする請求項１〜３の何れか記載の画像形成装置。
【請求項５】
前記原稿排出口から原稿が排出される方向は、前記シート排出口からシートが排出される方向と同じであることを特徴とする請求項１〜４の何れか記載の画像形成装置。
【請求項６】
装置内部に原稿を給送する原稿給送部と、装置内部にシートを給送するシート給送部とをさらに備え、
前記原稿給送部と、前記シート給送部は、装置の同じ側面に配置されることを特徴とする請求項１〜５の何れか記載の画像形成装置。
【請求項７】
前記原稿給送部および前記シート給送部は、お互いを識別するためのマークをそれぞれ備えたことを特徴とする請求項６記載の画像形成装置。
【請求項８】
前記原稿給送部により給送される原稿を載置する原稿載置部と、前記前記シート給送部により給送されるシートを載置するシート載置部と、を備えたことを特徴とする請求項６または７記載の画像形成装置。
【請求項９】
前記原稿載置部および前記シート載置部は、原稿、シートを給送する方向と逆方向に延長可能であることを特徴とする請求項８記載の画像形成装置。
【請求項１０】
前記原稿載置部および前記シート載置部のうち、下側の載置部は上側の載置部より装置の前側に配置されることを特徴とする請求項８または９記載の画像形成装置。
【請求項１１】
前記原稿載置部および前記シート載置部は、装置に格納可能であることを特徴とする請求項８〜１０の何れか記載の画像形成装置。
【請求項１２】
前記シート載置部とは別に、装置内部にシートを載置する内部シート載置部を備えたことを特徴とする請求項８〜１１の何れか記載の画像形成装置。
【発明の詳細な説明】
【技術分野】
【０００１】
本発明は、画像形成装置に関する。
【背景技術】
【０００２】
従来、原稿の画像を読み取って、シートに画像を形成する画像形成装置が知られている。
【０００３】
特許文献１には、記録材が搬送可能な記録材搬送面と、記録材搬送面と異なる面に沿って移動し且つ原稿搬送路の一部を構成する戻り移動面とを有する搬送手段を備えた画像形成装置が記載されている。
【発明の概要】
【発明が解決しようとする課題】
【０００４】
本発明は、排出された原稿およびシートの機密性を確保しつつ、原稿およびシートを容易に取り出すことができる画像形成装置を提供することを目的とする。
【課題を解決するための手段】
【０００５】
本発明は、原稿を搬送して搬送された原稿の画像を読み取り、シートに画像を形成する画像形成装置であって、搬送された原稿を排出する原稿排出口と、画像が形成されたシートを排出するシート排出口と、少なくとも装置の一側面に開口し、且つ、前記原稿排出口および前記シート排出口が臨む空間であり、前記原稿排出口から排出された原稿および前記シート排出口から排出されたシートを収容する排出収容部と、を備える。
【発明の効果】
【０００６】
本発明によれば、排出された原稿およびシートの機密性を確保しつつ、原稿およびシートを容易に取り出すことができる画像形成装置を提供できる。
【図面の簡単な説明】
【０００７】
【図１】本発明の一実施形態である画像形成装置１の斜視図である。
【図２】図１に示した画像形成装置１の断面図である。
【図３】図１に示した画像形成装置１の変形例を示す斜視図である。
【図４】図３に示した画像形成装置１のマーク１４０、３６の具体例を示す図である。
【図５】図１に示した画像形成装置１の他の変形例を示す斜視図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、本発明の一実施形態である画像形成装置１の斜視図である。図１に示されるＸ軸方向は画像形成装置１の幅方向であり、Ｙ軸方向は画像形成装置１の高さ方向であり、Ｚ軸方向は画像形成装置１の奥行き方向である。
【００１０】
画像形成装置１は、原稿を搬送して搬送された原稿の画像を読み取る原稿搬送読取装置１００と、物品の載置面となる上面を有する天板３００と、天板３００上に載置され、画像形成装置１への操作入力を受け付ける操作部４００と、シートに画像を形成する画像形成部６０と、排出された原稿およびシートを収容する排出収容部２００とを備える。
【００１１】
画像形成装置１は、また、画像形成部６０に供給されるシートを載置する内部シート載置部１０と、画像形成部６０に供給されるシートを載置する第２の内部シート載置部１５とを装置内部に備える。
【００１２】
画像形成装置１は、さらに、幅方向（Ｘ方向）右側の側面５００に、画像形成部６０に給送されるシートを載置するシート載置部２０を備え、原稿搬送読取装置１００は、装置内部に供給される原稿を載置する原稿載置部１１０を画像形成装置１の側面５００に備える。シート載置部２０および原稿載置部１１０は、画像形成装置１に対して開放および格納可能であり、図１は格納された状態を示している。
【００１３】
排出収容部２００には、排出された原稿が載置される原稿載置面（排出原稿載置部）２２０と、排出されたシートが載置されるシート載置面（排出シート載置部）２４０と、排出されたシートが載置される第２のシート載置面（第２の排出シート載置部）２５０とが配置されている。なお、原稿載置面２２０を備えた排出収容部２００は、原稿搬送読取装置１００に含まれるように構成してもよい。
【００１４】
排出収容部２００は、画像形成装置１の高さ方向（Ｙ軸方向）の上側は天板３００に覆われ、画像形成装置１の幅方向（Ｘ軸方向）の右側は側面５００に覆われ、画像形成装置１の奥行き方向（Ｚ軸方向）の後ろ側は後側面５５０に覆われている。これにより、原稿載置面２２０に排出された原稿、およびシート載置面２４０に排出されたシートの機密性が確保できる。
【００１５】
排出収容部２００には、また、画像形成装置１の奥行き方向（Ｚ軸方向）前側の前側面、及び画像形成装置１の幅方向（Ｘ軸方向）の左側の左側面に開口する開口部２１０が形成されており、この開口部２１０を介して、原稿載置面２２０と、シート載置面２４０と、第２のシート載置面２５０が、画像形成装置１の外部に露出している。これにより、原稿載置面２２０に排出された原稿、およびシート載置面２４０、第２のシート載置面２５０に排出されたシートを容易に画像形成装置１から取り出すことができる。
【００１６】
図２は、図１に示した画像形成装置１の幅方向（Ｘ軸方向）および高さ方向（Ｙ軸方向）を含む平面での断面図であって、奥行き方向（Ｚ軸方向）の前側から見た断面図である。シート載置部２０および原稿載置部１１０は、画像形成装置１から開放された状態を示している。シート載置部２０および原稿載置部１１０は、画像形成装置１の幅方向（Ｘ軸方向）の右方向において、天板３００の外周縁より外部に張り出している。
【００１７】
原稿搬送読取装置１００は、原稿載置部１１０に載置された原稿を装置内部に給送する原稿給送部１３０と、原稿給送部１３０から給送される原稿を搬送する原稿搬送部１５０と、原稿搬送部１５０により搬送される原稿の下面（底面）を第１面（表面）として読み取る画像読取り部１６０と、原稿搬送部１５０により搬送される原稿の上面を第２面（裏面）として読み取る第２の画像読取り部１７０と、原稿搬送部１５０により搬送される原稿を排出する原稿排出部１８０を備える。原稿搬送読取装置１００の上部かつ天板３００の下部の間には、空きスペース１０１が形成されている。また、画像読取り部１６０および第２の画像読取り部１７０を含む原稿搬送読取装置１００は、操作部４００よりも下側に配置される。
【００１８】
原稿給送部１３０は、原稿載置部１１０に載置された原稿の有無を検知する原稿センサ１３２と、原稿載置部１１０から原稿を給送する原稿給送ローラ１３４を備える。原稿センサ１３２が原稿ありを検知すると、原稿給送ローラ１３４は、原稿載置部１１０に載置された原稿の底面に当接して回転することにより、原稿載置部１１０から原稿を給送する。原稿載置部１１０に複数の原稿が積層されている場合、原稿給送部１３０は、原稿載置部１１０に載置された原稿のうち、最下部の原稿を給送する。
【００１９】
原稿搬送部１５０は、原稿給送部１３０から給送された原稿を搬送する搬送ローラ対１５２、１５３と、搬送ローラ対１５２、１５３から搬送された原稿を搬送する第２の搬送ローラ対１５４、１５５を備える。
【００２０】
原稿排出部１８０は、原稿載置面２２０に向けて原稿を排出する原稿排出口１８２と、第２の搬送ローラ対１５４、１５５から搬送された原稿を原稿排出口１８２に向けて搬送する原稿排出ローラ対１８４、１８５を備える。排出収容部２００は、原稿排出口１８２が臨む空間であり、原稿排出口１８２から排出された原稿を収容するように形成される。原稿は、画像形成装置１の幅方向（横方向、Ｘ軸方向）の左側に向けて、原稿排出口１８２から排出される。原稿搬送部１５０および原稿排出部１８０は、原稿載置部１１０に載置された原稿の表裏を反転させることなく原稿排出部１８０から排出するように構成されている。
【００２１】
画像形成装置１は、内部シート載置部１０に載置されたシートを画像形成部６０に給送する内部シート給送部１１と、第２の内部シート載置部１５に載置されたシートを画像形成部６０に給送する第２の内部シート給送部１６と、シート載置部２０に載置されたシートを装置内部の画像形成部６０に給送するシート給送部３０と、内部シート給送部１１、第２の内部シート給送部１６およびシート給送部３０から給送されるシートを搬送するシート搬送部４０と、上述した画像形成部６０により形成された画像をシート上に定着させる定着部７０と、画像が定着したシートを排出するシート排出部８０を備える。ここで、上述した原稿排出部１８０は、シート排出部８０よりも上方に配置されている。
【００２２】
シート給送部３０は、シート載置部２０に載置されたシートの有無を検知するシートセンサ３２と、シート載置部２０からシートを給送するシート給送ローラ３４を備える。シートセンサ３２がシートありを検知すると、シート給送ローラ３４は、シート載置部２０に載置されたシートの底面に当接して回転することにより、シート載置部２０からシートを給送する。シート載置部２０に複数のシートが積層されている場合、シート給送部３０は、シート載置部２０に載置されたシートのうち、最下部のシートを給送する。
【００２３】
シート搬送部４０は、画像形成部６０に向けてシートを搬送する搬送ローラ対４２、４３と、定着部７０より下流側でシートの搬送先を切り替える搬送切替部４８と、画像が定着したシートを反転して搬送する第２の搬送ローラ対４４、４５と、第２の搬送ローラ対４４、４５から搬送されるシートを搬送ローラ対４２、４３に向けて搬送する第３の搬送ローラ対４６、４７とを備える。
【００２４】
画像形成部６０は、ブラック、シアン、マゼンタ、イエロー各色のトナーを収納するトナー収納部６２Ｂ、６２Ｃ、６２Ｍ、６２Ｙと、画像読取り部１６０および第２の画像読取り部１７０が読み取った画像に対応する画像書き込み光を生成する書き込み部６３と、書き込み部６３が生成した画像書き込み光によりブラック、シアン、マゼンタ、イエロー各色の画像を形成する画像形成ユニット６４Ｂ、６４Ｃ、６４Ｍ、６４Ｙと、画像形成ユニット６４Ｂ、６４Ｃ、６４Ｍ、６４Ｙが形成した各色の画像を重ね合わせてシートに転写する転写部６６を備える。
【００２５】
転写部６６は、画像形成ユニット６４Ｂ、６４Ｃ、６４Ｍ、６４Ｙにより形成された各色の画像が重ね合わされて一次転写される中間転写ベルト６７と、中間転写ベルト６７上に転写された画像をシートに二次転写する二次転写部６８とを備える。
【００２６】
シート排出部８０は、シート載置面２４０に向けてシートを排出するシート排出口８２と、シートをシート排出口８２に向けて搬送するシート排出ローラ対８４、８５と、第２のシート載置面２５０に向けてシートを排出する第２のシート排出口９２と、シートを第２のシート排出口９２に向けて搬送する第２のシート排出ローラ対９４、９５とを備える。排出収容部２００は、シート排出口８２および第２のシート排出口９２が臨む空間であり、シート排出口８２および第２のシート排出口９２から排出されたシートを収容するように形成される。シートは、画像形成装置１の幅方向（横方向、Ｘ軸方向）の左側に向けて、シート排出口８２および第２のシート排出口９２から排出される。
【００２７】
片面画像形成の場合、シート搬送部４０およびシート排出部８０は、画像形成部６０により画像形成された面が下向きになるように、シート排出部８０からシートを排出する。
【００２８】
片面画像形成の場合、定着部７０から搬送されるシートは、搬送切替部４８により、シート排出ローラ対８４、８５または第２のシート排出ローラ対９４、９５へ向けて搬送され、シート排出口８２または第２のシート排出口９２から排出される。
【００２９】
両面画像形成の場合、定着部７０から搬送されるシートは、搬送切替部４８により、第２のシート排出口９２へ向けて搬送される。そして、シートは、第２のシート排出口９２から完全に排出される前に、第２のシート排出ローラ対９４、９５が逆回転することにより、第２の搬送ローラ対４４、４５に向けて反転して搬送される。
【００３０】
図３は、図１に示した画像形成装置１の変形例を示す斜視図である。画像形成装置１は、シート載置部２０およびシート給送部３０を識別するためのマーク３６を側面５００に備え、原稿搬送読取装置１００は、原稿載置部１１０および原稿給送部１３０を識別するためのマーク１４０を画像形成装置１の側面５００に備える。
【００３１】
図４は、図３に示したマーク３６、１４０の具体例を示す図である。図４（ａ）は、マーク３６、１４０の１つ目の具体例を示しており、図４（ｂ）は、マーク３６、１４０の２つ目の具体例を示している。
【００３２】
図５は、図１に示した画像形成装置１の他の変形例を示す斜視図である。原稿載置部１１０は、原稿を給送する方向と逆方向に延長可能な延長部１１０Ｅを備え、シート載置部２０は、シートを給送する方向と逆方向に延長可能な延長部２０Ｅを備える。また、シート載置部２０およびシート給送部３０は、原稿載置部１１０および原稿給送部１３０よりも下側、かつ画像形成装置１の奥行き方向（Ｚ軸方向）の前側に配置される。
【００３３】
以上説明したように、本発明の一実施形態に係る原稿搬送読取装置１００は、搬送された原稿を排出する原稿排出口１８２と、少なくとも装置の一側面に開口し、且つ、原稿排出口１８２が臨む空間であり、原稿排出口１８２から排出された原稿を収容する排出収容部２００と、を備える。これにより、排出された原稿の機密性を確保しつつ、原稿を原稿搬送読取装置１００から容易に取り出すことができる。
【００３４】
また、本発明の一実施形態に係る画像形成装置１は、搬送された原稿を排出する原稿排出口１８２と、画像が形成されたシートを排出するシート排出口８２、第２のシート排出口９２と、少なくとも装置の一側面に開口し、且つ、原稿排出口１８２、シート排出口８２および第２のシート排出口９２が臨む空間であり、原稿排出口１８２から排出された原稿およびシート排出口８２、第２のシート排出口９２から排出されたシートを収容する排出収容部２００と、を備える。これにより、排出された原稿およびシートの機密性を確保しつつ、原稿およびシートを画像形成装置１から容易に取り出すことができる。
【００３５】
排出収容部２００は、少なくとも装置本体の前面側（前側面）に開口する。これにより、排出された原稿を画像形成装置１の前面側から容易に取り出すことができる。
【００３６】
排出収容部２００は、装置本体の前面側（前側面）および横面側（左側面）に開口する。これにより、排出された原稿を画像形成装置１の前面側および横面側から容易に取り出すことができる。
【００３７】
排出収容部２００には、原稿排出口１８２から排出された原稿が載置される原稿載置面２２０、およびシート排出口８２、９２から排出されたシートが載置されるシート載置面２４０、２５０が配置されており、原稿載置面２２０およびシート載置面２４０、２５０は、装置外部に露出する。これにより、原稿載置面２２０に排出された原稿およびシート載置面２４０、２５０に排出されたシートを画像形成装置１から容易に取り出すことができる。
【００３８】
原稿排出口１８２から原稿が排出される方向（左側）は、シート排出口８２からシートが排出される方向（左側）と同じである。これにより、排出された原稿およびシートをまとめて画像形成装置１から取り出すことができる。
【００３９】
画像形成装置１は、装置内部に原稿を給送する原稿給送部１３０と、装置内部にシートを給送するシート給送部３０とをさらに備え、原稿給送部１３０とシート給送部３０は、装置の同じ側面５００に配置される。これにより、原稿給送部１３０とシート給送部３０が別々の面に配置される場合に比べて、装置の占有面積が低減される。
【００４０】
画像形成装置１は、原稿給送部１３０およびシート給送部３０は、お互いを識別するためのマーク１４０、３６をそれぞれ備える。これにより、原稿給送部１３０とシート給送部３０が同じ面に配置される場合でも、原稿給送部１３０とシート給送部３０を容易に識別することができる。
【００４１】
画像形成装置１は、原稿給送部１３０により給送される原稿を載置する原稿載置部１１０と、シート給送部３０により給送されるシートを載置するシート載置部２０と、を備える。これにより、複数枚の原稿、シートを容易に給送することができる。
【００４２】
原稿載置部１１０およびシート載置部２０は、原稿、シートを給送する方向と逆方向に延長可能な延長部１１０Ｅ、２０Ｅを備える。これにより、使い方に合わせて原稿載置部およびシート載置部の大きさ、すなわち占有面積を変更できる。
【００４３】
原稿載置部１１０およびシート載置部２０のうち、下側の載置部は上側の載置部より装置の前側に配置される。これにより、下側に配置される載置部の視認性が向上する。
【００４４】
画像形成装置１は、原稿載置部１１０およびシート載置部２０を格納可能である。これにより、原稿載置部１１０およびシート載置部２０を使用しない場合に、装置の見た目をよくすることができる。
【００４５】
画像形成装置１は、シート載置部２０とは別に、装置内部にシートを載置する内部シート載置部１０、１５を備える。これにより、原稿が大量の場合でも、大量のシートに画像形成することができる。
【符号の説明】
【００４６】
１  画像形成装置
１０、１５  内部シート載置部
２０  シート載置部
２０Ｅ  延長部
３０  シート給送部
３６  マーク
８２、９２  シート排出口
１００  原稿搬送読取装置
１１０  原稿載置部
１１０Ｅ  延長部
１３０  原稿給送部
１４０  マーク
１８２  原稿排出口
２００  排出収容部
２２０  原稿載置面
２４０、２５０  シート載置面
５００  側面
【先行技術文献】
【特許文献】
【００４７】
【特許文献１】特開２００７‐０３３８１７
【図１】
2020016804.tif 000003
【図２】
2020016804.tif 000004
【図３】
2020016804.tif 000005
【図４】
2020016804.tif 000006
【図５】
2020016804.tif 000007